(57)【要約】【課題】伝送媒体の交換に伴って分散特性が比較的大きく変動した場合であっても、好適なタップ係数に容易に調整可能な光受信器、光トランシーバ及び光受信方法を提供する。【解決手段】コントローラ４は、ＲＯＳＡ５に入力される光信号の強度の変化を検知する光検知回路７の出力に基いて、光信号の強度が所定の範囲から外れた場合に、分散等化部６にリセット信号Ｋを出力する。これを受けて分散等化部６はタップ係数を所定の初期値に設定する。その後分散等化部６はタップ係数の調整を行う。【選択図】図１
2010050641.tif 000002
【特許請求の範囲】
【請求項１】
光信号を光電流に変換して出力するとともに、この出力した光電流を増幅し、電気信号として出力する光受信サブアセンブリと、
前記電気信号を用いて前記光信号の分散等化処理を行うための分散等化部と、
前記分散等化部を制御する制御部と、
を備え、
前記分散等化部は、前記分散等化処理を行うためのトランスバーサルフィルタを有し、
前記トランスバーサルフィルタの複数のタップの各タップ係数は、調整可能であり、
前記制御部は、前記光電流に基づいて前記光信号の強度を測定し、この測定した前記光信号の強度が所定の範囲から外れた場合に、前記各タップ係数を所定の初期値に設定するためのリセット信号を前記分散等化部に出力し、
前記分散等化部は、前記制御部から入力される前記リセット信号に応じて、前記各タップ係数を前記所定の初期値に設定する、
ことを特徴とする光受信器。
【請求項２】
光信号を受信する光受信器を備えた光トランシーバであって、
前記光受信器は、
前記光信号を光電流に変換して出力するとともに、この出力した光電流を増幅し、電気信号として出力する光受信サブアセンブリと、
前記電気信号を用いて前記光信号の分散等化処理を行うための分散等化部と、
前記分散等化部を制御する制御部と、
を有し、
前記分散等化部は、前記分散等化処理を行うためのトランスバーサルフィルタを有し、
前記トランスバーサルフィルタの複数のタップの各タップ係数は調整可能であり、
前記制御部は、前記光電流に基づいて前記光信号の強度を測定し、この測定した前記光信号の強度が所定の範囲を外れた場合に、前記各タップ係数を所定の初期値に設定するためのリセット信号を前記分散等化部に出力し、
前記分散等化部は、前記制御部から入力される前記リセット信号に応じて、前記各タップ係数を前記所定の初期値に設定する、
ことを特徴とする光トランシーバ。
【請求項３】
光信号を光電流に変換して出力するとともに、この出力した光電流を増幅し、電気信号として出力する光受信サブアセンブリと、前記電気信号を用いて前記光信号の分散等化処理を行うためのトランスバーサルフィルタを有する分散等化部と、前記分散等化部を制御する制御部とを備える光受信器を用いた光受信方法であって、
前記制御部が、前記光電流に基づいて前記光信号の強度を測定する測定ステップと、
前記測定ステップにおいて測定された前記光信号の強度が所定の範囲から外れた場合に、前記制御部が、前記トランスバーサルフィルタの複数のタップの各タップ係数を所定の初期値に設定するためのリセット信号を前記分散等化部に出力する出力ステップと、
前記出力ステップにおいて前記制御部から出力された前記リセット信号に応じて、前記分散等化部が、前記各タップ係数を前記所定の初期値に設定する設定ステップと、
を有する、ことを特徴とする光受信方法。
【発明の詳細な説明】
【技術分野】
【０００１】
本発明は、光受信器、光トランシーバ及び光受信方法に関する。
【背景技術】
【０００２】
近年、マルチモードファイバ内のモード間の伝搬遅延時間の補正を目的として、電子式分散等化回路と称する装置が開発されている。このような電子式分散等化回路の一例が非特許文献１及び非特許文献２に記載されている。例えば、非特許文献１に記載の電子式分散等化回路は、光信号が光ファイバを伝送することにより生じる分散を補償するためのトランスバーサルフィルタを有する。トランスバーサルフィルタは、光信号から光電変換された電気信号を順次遅延して出力する複数の遅延回路と、これら複数の遅延回路から出力された複数の信号にそれぞれのタップ係数を乗算して出力する複数の乗算器と、乗算後の複数の信号の総和を取る総和回路とを備える。
【非特許文献１】P.Pepeljugoski,J.Schaub,J.Tierno,J.Kash,S.Gowda,B.Wilson,H.Wu,A.hajimiri,“Improved Performance of 10 Gb/s Multimode Fiber Optic Link Using Equalization”,Technical Digest of Optical Fiber Conference,2003,ThG4
【非特許文献２】Jack H.Winters,Richard D.Gitlin,“Electrical Signal Processing Techniques in Long-Haul Fiber-Optic System”,IEEE Transaction On Communications,1990,vol.38,No.9,p.1439-1453.
【発明の開示】
【発明が解決しようとする課題】
【０００３】
光ファイバを含む伝送媒体の分散特性は、伝送媒体の振動等の要因により変動する。このため、電子式分散等化回路は、変動する分散特性に応じてタップ係数を調整する。しかし、伝送媒体が別の伝送媒体に交換され、分散特性が比較的大きく変動する場合や、伝送媒体の敷設状態が変化して、分散特性が比較的大きく変動する場合等には、従来の方法ではタップ係数の調整が困難となる。そこで本発明の目的は、伝送媒体の交換や伝送媒体の敷設状態の変化に伴って分散特性が比較的大きく変動した場合であっても、好適なタップ係数に容易に調整可能な光受信器、光トランシーバ及び光受信方法を提供することである。
【課題を解決するための手段】
【０００４】
本発明の光受信機は、光信号を光電流に変換して出力するとともに、この出力した光電流を増幅し、電気信号として出力する光受信サブアセンブリと、電気信号を用いて光信号の分散等化処理を行うための分散等化部と、分散等化部を制御する制御部と、を備え、分散等化部は、分散等化処理を行うためのトランスバーサルフィルタを有し、トランスバーサルフィルタの複数のタップの各タップ係数は、調整可能であり、制御部は、光電流に基づいて光信号の強度を測定し、この測定した光信号の強度が所定の範囲から外れた場合に、各タップ係数を所定の初期値に設定するためのリセット信号を分散等化部に出力し、分散等化部は、制御部から入力されるリセット信号に応じて、各タップ係数を所定の初期値に設定する、ことを特徴とする。
【０００５】
本発明の光トランシーバは、光信号を受信する光受信器を備えた光トランシーバであって、光受信器は、光信号を光電流に変換して出力するとともに、この出力した光電流を増幅し、電気信号として出力する光受信サブアセンブリと、電気信号を用いて光信号の分散等化処理を行うための分散等化部と、分散等化部を制御する制御部とを有し、分散等化部は、分散等化処理を行うためのトランスバーサルフィルタを有し、トランスバーサルフィルタの複数のタップの各タップ係数は調整可能であり、制御部は、光電流に基づいて光信号の強度を測定し、この測定した光信号の強度が所定の範囲から外れた場合に、各タップ係数を所定の初期値に設定するためのリセット信号を分散等化部に出力し、分散等化部は、制御部から入力される前記リセット信号に応じて、各タップ係数を所定の初期値に設定する、ことを特徴とする。
【０００６】
本発明の光受信方法は、光信号を光電流に変換して出力するとともに、この出力した光電流を増幅し、電気信号として出力する光受信サブアセンブリと、電気信号を用いて光信号の分散等化処理を行うためのトランスバーサルフィルタを有する分散等化部と、分散等化部を制御する制御部とを備える光受信器を用いた光受信方法であって、制御部が、光電流に基づいて光信号の強度を測定する測定ステップと、測定ステップにおいて測定された光信号の強度が所定の範囲から外れた場合に、制御部が、トランスバーサルフィルタの複数のタップの各タップ係数を所定の初期値に設定するためのリセット信号を分散等化部に出力する出力ステップと、出力ステップにおいて制御部から出力されたリセット信号に応じて、分散等化部が、各タップ係数を所定の初期値に設定する設定ステップと、を有する、ことを特徴とする。
【０００７】
上記光受信器、光トランシーバ及び光受信方法によれば、例えば、光ファイバを含む伝送媒体が交換され、この伝送媒体から光受信サブアセンブリに入力される光信号の強度が急に低下した場合や伝送媒体の敷設状態の変化などによって光受信サブアセンブリに入力される光信号の強度が急に増加した場合に、制御部はこの光信号の強度の低下または増加を検知し、分散等化部のタップ係数を所定の初期値にリセットするためのリセット信号を分散等化部に出力し、分散等化部は、このリセット信号を受けて、タップ係数を所定の初期値に設定する。その後タップ係数の調整を行う。タップ係数の調整において、タップ係数のリセットは、光受信機の再起動と同等の効果を持つ。従って、伝送媒体が交換され、伝送媒体の分散特性が比較的大きく変化した場合でも、好適なタップ係数に容易に調整を行うことができる。よって、光信号に対して好適な分散等化処理が可能である。
【発明の効果】
【０００８】
伝送媒体の交換や伝送媒体の敷設状態の変化などに伴って分散特性が比較的大きく変動した場合であっても、好適なタップ係数に容易に調整可能な光受信器、光トランシーバ及び光受信方法を提供することができる。
【発明を実施するための最良の形態】
【０００９】
以下、図面を参照して、本発明に係る好適な実施形態について詳細に説明する。なお、図面の説明において、可能な場合には、同一要素には同一符号を付し、重複する説明を省略する。
【００１０】
図１は、実施形態に係る光トランシーバの構成を示す図である。光トランシーバ１は、受信器２（光受信器）、送信器３とを備える。
【００１１】
受信器２は、コントローラ４、ＲＯＳＡ５（ROSA:Receiver Optical Sub-Assembly）（光受信サブアセンブリ）、分散等化部６、光検知回路７及びＣＤＲ部８（CDR:ClockData Recovery）を含む。ＲＯＳＡ５は、光ファイバを含む伝送媒体（不図示）から入力される光信号を光電流に変換し光検知回路７に出力する半導体受光素子（不図示）と、光電流を増幅して、増幅した光電流を電気信号として分散等化部６へ出力する増幅部（不図示）とを含む。コントローラ４と光検知回路７は、共働して分散等化部６の制御を行う制御部を構成する。光検知回路７は光電流の値をモニターして、入力する光信号の強度を検知し、コントローラ４は、この検知の結果に応じて、分散等化部６にリセット信号Ｋを出力する。また、コントローラ４は、光トランシーバ１が実装されるホスト側装置と光トランシーバ１との間の監視制御信号の処理、送信器３側の光出力や消光比の制御などの機能を備えている。
【００１２】
分散等化部６は、コントローラ４、ＲＯＳＡ５、ＣＤＲ部８に接続されている。分散等化部６は、ＲＯＳＡ５に入力される光信号の分散を補償するように、ＲＯＳＡ５から入力される電気信号を処理（波形の整形処理）し、この処理後の電気信号をＣＤＲ部８に出力する電子式分散等化回路（Equalizer）である。
【００１３】
分散等化部６は、図２に示すように、ＲＯＳＡ５に入力される光信号の分散等化処理に用いるトランスバーサルフィルタ６０と、タップ係数設定回路６８とを有する。このトランスバーサルフィルタ６０は複数のタップＰＣ０〜ＰＣｍ，ＰＤ０〜ＰＤｎを有し、これら複数のタップＰＣ０〜ＰＣｍ，ＰＤ０〜ＰＤｎの各タップ係数ｃ０〜ｃｍ，ｄ０〜ｄｎは調整可能に構成されている。分散等化部６は、コントローラ４から入力されるリセット信号Ｋに応じて、タップ係数ｃ０〜ｃｍ，ｄ０〜ｄｎを所定の初期値（以下初期値Ｖと称する）に設定する。例えば、タップ係数ｃ０が１であり、他のタップ係数ｃ１〜ｃｍ及びタップ係数ｄ０〜ｄｎがゼロである初期値Ｖが考えられる。分散等化部６のタップ係数設定回路６８は、この設定した初期値Ｖから演算を開始して分散が最小になるタップ係数ｃ０〜ｃｍ，ｄ０〜ｄｎを算出してその値を維持するための調整を行う。
【００１４】
光検知回路７は、ＲＯＳＡ５、コントローラ４に接続されている。光検知回路７は、ＲＯＳＡ５の半導体受光素子から入力される光電流の値に基づいて、ＲＯＳＡ５に入力される光信号の強度を測定し、コントローラ４へ出力する。コントローラ４は、この測定した光信号の強度が所定の範囲（以下範囲Ｅと称する）から外れた場合に、分散等化部６のタップ係数ｃ０〜ｃｍ，ｄ０〜ｄｎを初期値Ｖに設定するためのリセット信号Ｋを、分散等化部６に出力する。範囲Ｅの下限値としては、１０ＧＢＡＳＥ−ＬＲＭ規格準拠の場合、仕様で定められている最小受信レベル以下の値が好ましい。例えば、データ通信機能が完全に失われると考えられる−２０ｄＢｍなどを下限値として設定して、上限値は設けないとしてもよい。分散等化部６のタップ係数設定回路６８は、コントローラ４から入力されるリセット信号Ｋを受け、タップ係数ｃ０〜ｃｍ，ｄ０〜ｄｎを一旦、初期値Ｖに設定する。分散等化部６のタップ係数設定回路６８はタップ係数ｃ０〜ｃｍ，ｄ０〜ｄｎを一旦、初期値Ｖに設定をした後に、分散が最小になるタップ係数ｃ０〜ｃｍ，ｄ０〜ｄｎの算出を再開して、タップ係数の調整を行う。なお、リセット信号Ｋは、光検知回路７から分散等化部６へ出力されてもよい。この場合、光検知回路７は、ＲＯＳＡ５に入力される光信号の強度を測定し、この測定した光信号の強度が範囲Ｅから外れた場合、分散等化部６のタップ係数設定回路６８にリセット信号Ｋを出力する。そして、ＣＤＲ部８は、分散等化部６から入力される電気信号のデータを復元して、データ復元後の電気信号を出力する。
【００１５】
送信器３は、ＣＤＲ部９、ＬＤＤ１０（LDD:Laser-Diode Driver）及びＴＯＳＡ１１（TOSA: Transmitter OpticalSub-Assembly）を含む。ＣＤＲ部９は、入力される電気信号のデータを復元して、データ復元後の電気信号をＬＤＤ１０へ出力する。ＬＤＤ１０は、ＣＤＲ部９から入力される電気信号に基づいて、ＴＯＳＡ１１が備える半導体発光素子（不図示）を駆動するための電気信号を生成し、この生成した電気信号をＴＯＳＡ１１に出力する。ＴＯＳＡ１１の半導体発光素子は、ＬＤＤ１０から入力される電気信号に基づいて光信号を生成して、この生成した光信号を出力する。
【００１６】
図２は、分散等化部６の構成を示す図である。分散等化部６は、トランスバーサルフィルタ６０及びタップ係数設定回路６８を有する。トランスバーサルフィルタ６０は、ＦＦＥ部６１（FFE：Feed Forward Equalizer）、ＤＦＥ部６２（DFE：Decision Feed-back Equalizer）、ｓｕｍ回路６４及びｓｌｉｃｅｒ６６を有する。トランスバーサルフィルタ６０は、ＲＯＳＡ５に入力される光信号の分散を補償するように、ＲＯＳＡ５からの電気信号を電気的に補償する処理（波形の整形処理）を行う。トランスバーサルフィルタ６０は、この処理後の信号をＣＤＲ部８に出力する。
【００１７】
ＦＦＥ部６１は、遅延回路ＴＣ１〜遅延回路ＴＣｍ（ｍは１以上の整数）と、乗算器Ｃ０〜乗算器Ｃｍとを有しており、これらは、複数のタップＰＣ０〜タップ
ＰＣｍを構成する。ＤＦＥ部６２は、遅延回路ＴＤ０〜遅延回路ＴＤｎ（ｎは１以上の整数）と、乗算器Ｄ０〜乗算器Ｄｎとを有しており、これらは、複数のタップＰＤ０〜タップＰＤｎを構成する。
【００１８】
タップＰＣ０は、乗算器Ｃ０を含む。タップＰＣｋ（ｋは１〜ｍの整数）は、遅延回路ＴＣｋと乗算器Ｃｋとを含み、タップＰＤｊ（ｊは０〜ｎの整数）は、遅延回路ＴＤｊと乗算器Ｄｊとを含む。
【００１９】
遅延回路ＴＣｋは、入力された信号を１ｂｉｔ分だけ遅延して、乗算器Ｃｋと後段の遅延回路ＴＣ（ｋ＋１）とに出力し、遅延回路ＴＤｊは、入力された信号を１ｂｉｔ分だけ遅延して、乗算器Ｄｊと後段の遅延回路ＴＤ（ｊ＋１）とに出力する。例えば、遅延回路ＴＣ１（ｋ＝１の場合）は、ＲＯＳＡ５から入力された信号を１ｂｉｔ分だけ遅延して、乗算器Ｃ１と後段の遅延回路ＴＣ２とに出力し、遅延回路ＴＤ０（ｊ＝０の場合）は、ｓｌｉｃｅｒ６６から入力された信号を１ｂｉｔ分だけ遅延して、乗算器Ｄ０と後段の遅延回路ＴＤ１とに出力する。
【００２０】
乗算器Ｃ０は、ＲＯＳＡ５から入力された信号にタップ係数ｃ０を乗じてｓｕｍ回路６４に出力する。乗算器Ｃｋは、遅延回路ＴＣｋから入力された信号にタップ係数ｃｋを乗じてｓｕｍ回路６４に出力する。乗算器Ｄｊは遅延回路ＴＤｊから入力された信号にタップ係数ｄｊを乗じてｓｕｍ回路６４に出力する。
【００２１】
ｓｕｍ回路６４は、乗算器Ｃ０〜乗算器Ｃｍからそれぞれ入力された信号を総和し、乗算器Ｄ０〜乗算器Ｄｎからそれぞれ入力された信号を総和してＣＤＲ部８に出力する。ｓｌｉｃｅｒ６６は、ｓｕｍ回路６４から入力される信号に基づいて“１”又は“０”の判定を行い、この判定結果（“１”又は“０”）を示す信号を遅延回路ＴＤ０に出力する。ｓｌｉｃｅｒ６６に入力される信号とｓｌｉｃｅｒ６６から出力される信号との差分を示す差分信号は、ｓｕｍ回路６４の出力信号（すなわち、分散等化部６の出力信号）において再生されたアナログ信号（総和）とこのアナログ信号に基づくデジタル信号との差分を示しており、タップ係数設定回路６８に出力される。
【００２２】
タップ係数設定回路６８は、差分信号に基づいて、ｓｌｉｃｅｒ６６に入力される信号とｓｌｉｃｅｒ６６から出力される信号との差分を低減してこれが所定量の基準差分以下となるようにタップ係数ｃ０〜タップ係数ｃｍ及びタップ係数ｄ０〜タップ係数ｄｎを調整する。差分信号の示す差分が収束すると、タップ係数ｃ０〜タップ係数ｃｍ及びタップ係数ｄ０〜タップ係数ｄｎも収束する。タップ係数設定回路６８は、この調整結果を乗算器Ｃ０〜乗算器Ｃｍ及び乗算器Ｄ０〜乗算器Ｄｎに送信する。乗算器Ｃ０〜乗算器Ｃｍ及び乗算器Ｄ０〜乗算器Ｄｎは、このタップ係数設定回路６８による調整結果に基づいて、タップ係数ｃ０〜タップ係数ｃｍ及びタップ係数ｄ０〜タップ係数ｄｎを設定する。これにより、トランスバーサルフィルタ６０は、ＲＯＳＡ５の出力信号に対して最適な波形整形（電気的な分散補償）が行える。
【００２３】
タップ係数設定回路６８は、リセット信号Ｋが入力されると、タップ係数ｃ０〜タップ係数ｃｍ及びタップ係数ｄ０〜タップ係数ｄｎを初期値Ｖにリセットし、この初期値Ｖから、タップ係数ｃ０〜タップ係数ｃｍ及びタップ係数ｄ０〜タップ係数ｄｎの調整を行う。
【００２４】
次に、受信器２の動作を説明する。光ファイバを含む伝送媒体が交換されると、ＲＯＳＡ５に入力される光信号の強度が低下する場合がある。また、伝送媒体の敷設状態の変化などによってＲＯＳＡ５に入力される光信号の強度が増加する場合がある。ここでは、伝送媒体が別の伝送媒体に交換される場合を想定する。ＲＯＳＡ５の半導体受光素子は、入力される光信号から光電流を生成し、光検知回路７へ出力する。ＲＯＳＡ５の増幅部は、ＲＯＳＡ５の半導体受光素子によって生成された光電流を増幅し電気信号として分散等化部６へ出力する。光検知回路７は、ＲＯＳＡ５の半導体受光素子が生成する光電流の値に基づいて、ＲＯＳＡ５に入力される光信号の強度を測定し、コントローラ４へ出力する。コントローラ４はこの測定した光信号の強度が範囲Ｅから外れた場合、リセット信号Ｋを分散等化部６のタップ係数設定回路６８に出力する。分散等化部６のタップ係数設定回路６８は、このリセット信号Ｋを受けて、タップ係数を所定の初期値に設定し、その後タップ係数の調整を行う。タップ係数の調整において、タップ係数のリセットは、光受信機の再起動と同等の効果を持つ。そして、分散等化部６はこの調整後のタップ係数を用いて、ＲＯＳＡ５に入力される光信号の分散等化処理を行う。伝送媒体が交換されると、伝送媒体の分散特性は比較的大きく変化するが、上記の受信器２の構成によれば、タップ係数をこの分散特性の変化に応じた値に容易に調整することができる。タップ係数設定回路６８は、ｓｌｉｃｅｒ６６の入力と出力の差分が所定値以下になるようにタップ係数を算出してトランスバーサルフィルタ６０へフィードバックを行なう機能を有しており、ＣＰＵを備える。一方、光トランシーバ１全体に係る制御を行っているコントローラ４もＣＰＵを備える。光トランシーバ１の小型化・高密度実装の要求により上記の２つのＣＰＵの機能をひとつのＣＰＵに集約する場合もある。すなわちコントローラ４の機能とタップ係数設定回路６８の機能が１チップのＣＰＵに含まれる構成にしてもよい。
【００２５】
図３は、実際に分散等化処理を行った光信号のアイパターンを示す図である。図３（ａ）に、２２０ｍのマルチモードファイバ伝送後の劣化した光信号に対して、分散等化処理を行った光信号のアイパターンを示す。タップ係数は、このファイバの分散特性に応じた値に調整されている。そして、２２０ｍのマルチモードファイバから２ｍのマルチモードファイバに交換され、この交換後のマルチモードファイバ伝送後の劣化した光信号に対して、分散等化処理を行った光信号のアイパターンを図３（ｂ）に示す。この場合、タップ係数を初期値にリセットせずに、交換前のタップ係数を交換後の調整開始時に用いた。交換前のタップ係数を交換後の調整開始時に用いて微調整を行っているので、誤収束してしまっており、この状態からは、１，０判定は不可能である。これに対し、図３（ｃ）は、上記ファイバの交換に際し、本実施形態に係る受信器２を用いて、分散等化処理を行った光信号のアイパターンを示す。アイが良好に開いていることから、タップ係数ｃ０〜ｃｍ，ｄ０〜ｄｎが交換後の分散特性に応じた値に調整され、好適な分散等化処理が施されていることがわかる。
【００２６】
以上、好適な実施の形態において本発明の原理を図示し説明してきたが、本発明は、そのような原理から逸脱することなく配置および詳細において変更され得ることは、当業者によって認識される。本発明は、本実施の形態に開示された特定の構成に限定されるものではない。したがって、特許請求の範囲およびその精神の範囲から来る全ての修正および変更に権利を請求する。
【図面の簡単な説明】
【００２７】
【図１】実施形態に係る光トランシーバの構成を示す図である。
【図２】実施形態に係る分散等化部の構成を示す図である。
【図３】分散等化処理後の光信号のアイパターンを示す図である。
【符号の説明】
【００２８】
１…光トランシーバ、２…受信器、３…送信器、４…コントローラ、５…ＲＯＳＡ、６…分散等化部、７…光検知回路、８，９…ＣＤＲ部、１０…ＬＤＤ、１１…ＴＯＳＡ、Ｋ…リセット信号、６０…トランスバーサルフィルタ、６１…ＦＦＥ部、６２…ＤＦＥ部、６４…ｓｕｍ回路、６６…ｓｌｉｃｅｒ、６８…タップ係数設定回路、ＰＣ０〜ＰＣｍ，ＰＤ０〜ＰＤｎ…タップ、ＴＣ１〜ＴＣｍ，ＴＤ０〜ＴＤｎ…遅延回路、Ｃ０〜Ｃｍ，Ｄ０〜Ｄｎ…乗算器、ｃ０〜ｃｍ，ｄ０〜ｄｎ…タップ係数
【図１】
2010050641.tif 000003
【図２】
2010050641.tif 000004
【図３】
2010050641.tif 000005